(57)【要約】      （修正有）【課題】使用する洗剤、水、ＣＯ２、梱包材の量を削減することができる自動床洗浄機用マイクロファイバーフロアパッドを提供する。  【解決手段】親油性に優れたポリエステルと親水性に優れたナイロンとを交互にループ状に編みこんだ洗浄面部と自動床洗浄機への取付面部とを縫製により一体になした自動床洗浄機用パッドであって前記縫製部分が前記自動床洗浄機用パッドの外周部より内側に設けられていることを特徴とする自動床洗浄機用パッドである。【選択図】図１
0003147252.tif 000002
【実用新案登録請求の範囲】
【請求項１】
パッドにセンターロック用の穴を作り、またパッド外周の縫製部分を側面に作らず、パッド取り付け面に持ってくることによって、回転時に縫製部分がパッドカバー及びパッド同士が接触・磨耗することを防止し、自動床洗浄機で実用できるようにしたことを特徴とするフロアパッド。
【請求項２】
パッドの洗浄部分のマイクロファイバーをループ状にしたことで、従来のカットパイルと違い、高いパッド圧を掛けても高い洗浄力を保つことができることを特徴としたフロアパッド。
【請求項３】
親油性に優れたポリエステルと親水性に優れたナイロンを交互に編みこむことにより、油汚れの多い床面では洗剤の必要がなく、また従来のパッドでは床面に親水しない為、まだらになり、完全に洗浄できなかった水洗浄もナイロンが親水性に優れているので、水洗浄を完全に行うことができることで、自動床洗浄機へ投入する洗剤を不要とできることを特徴としたフロアパッド。
【請求項４】
洗剤を使用しない為、床面に洗剤が残渣することなく、残渣洗剤が汚れを寄せ付ける事がない為、汚れにくい床面管理を行うことができることを特徴としたフロアパッド。
【請求項５】
洗剤を使用しない為、使用後に自動床洗浄機自体の清掃を行う際、清掃に使用する水の量を削減できることを特徴としたフロアパッド。
【請求項６】
従来の不織布表面に研磨剤粒子を熱硬化性合成樹脂によって固着させたフロアパッドよりも摩擦に強い素材を使用し、パッド自体の耐久性を向上させ、使用枚数を削減することにより、フロアパッドの納品回数を減らし、運搬に使用する為のトラックのＣＯ２削減とフロアパッドの梱包材（ダンボール）の使用量削減を行うことを特徴としたフロアパッド。
【考案の詳細な説明】
【技術分野】
【０００１】自動床洗浄機用マイクロファイバーフロアパッド
【背景技術】
【０００２】パッドにセンターロック用の穴を作り、またパッド外周の縫製部分を側面に作らず、パッド取り付け面に持ってくることによって、回転時に縫製部分がパッドカバー及びパッド同士が接触・磨耗することを防止し、自動床洗浄機で実用できるようにした。
パッドの洗浄部分のマイクロファイバーをループ状にしたことで、従来のカットパイルと違い、高いパッド圧を掛けても高い洗浄力を保つことができる。
親油性に優れたポリエステルと親水性に優れたナイロンを交互に編みこむことにより、油汚れの多い床面では洗剤の必要がなく、また従来のパッドでは床面に親水しない為、まだらになり、完全に洗浄できなかった水洗浄もナイロンが親水性に優れているので、水洗浄を完全に行うことができることで、自動床洗浄機へ投入する洗剤を不要とし、洗剤を使用しない為、床面に洗剤が残渣することなく、残渣洗剤が汚れを寄せ付ける事がない為、汚れにくい床面管理を行うことができる。また水洗浄が行えることから、これまでに蓄積した残渣洗剤を抜くことができ、汚れにくい床面管理を行うことができる。他、洗剤を使用しない為、使用後に自動床洗浄機自体の清掃を行う際、清掃に使用する水の量を削減できる。
従来の不織布表面に研磨剤粒子を熱硬化性合成樹脂によって固着させたフロアパッドよりも摩擦に強い素材を使用し、パッド自体の耐久性を向上させ、使用枚数を削減することにより、フロアパッドの納品回数を減らし、運搬に使用する為のトラックのＣＯ２削減とフロアパッドの梱包材（ダンボール）の使用量削減を行うことをできる。
【考案の開示】
【考案が解決しようとする課題】
【０００３】これまでは、従来の不織布表面に研磨剤粒子を熱硬化性合成樹脂によって固着させたフロアパッドでは、水のみで洗浄を行っても親水せず、洗浄がまだらになり、洗剤を入れ洗浄する必要があった。その為、洗剤の使用量が増え、また洗剤を使用する為、回収した汚水タンクの清掃をする際に、大量の水を必要としていた。
あと耐久性に乏しい為、使用枚数が多く、納品回数も多く、トラック等による無駄なＣＯ２の排出や、無駄な梱包材も増えるばかりだった。
マイクロファイバーフロアパッドでは、特に洗剤、水使用量の多い自動床洗浄機を使用するところをターゲットに、洗剤、水、ＣＯ２、梱包材の削減を課題とする。
【課題を解決するための手段】
【０００４】親油性と親水性のマイクロファイバーを洗浄面に使用し、自動洗浄機に取り付けられるようにする。
【考案の効果】
【０００５】洗剤を削減する為、パッドにセンターロック用の穴を作り、またパッド外周の縫製部分を側面に作らず、パッド取り付け面に持ってくることによって、回転時に縫製部分がパッドカバー及びパッド同士が接触・磨耗することを防止し、自動床洗浄機で実用できるようにする。
親油性と親水性のマイクロファイバーを洗浄面に使用。それにより油汚れを洗剤を使用せず落とすことができ、水性の汚れも親水性のファイバーがしっかりと吸水しているので、従来の不織布表面に研磨剤粒子を熱硬化性合成樹脂によって固着させたフロアパッドのように親水せず、洗浄がまだらになることはない。
洗剤を使用しなくなった結果、これまで自動床洗浄機を使用後に洗う際、回収した汚水を溜めるタンク等の清掃で、洗剤を洗い流すのに大量の水を使用していたものが、を少ない水で清掃を行うことができる。
従来の不織布表面に研磨剤粒子を熱硬化性合成樹脂によって固着させたフロアパッドと比べ、耐久性が高い為、フロアパッドの使用枚数が少なく済み、納品の際に使用するトラックのＣＯ２の削減及びフロアパッドの梱包材を減らすことが可能となる。
【考案を実施するための最良の形態】
【０００６】自動床洗浄機に取り付け、洗剤を使用せず、水だけで洗浄を行う。
【実施例】
【０００７】石材の床面で、染み込んだ洗剤を除去する為に、マイクロファイバーフロアパッドを装着し、自動床洗浄機で９１ｋｇのパッド圧を欠け水洗浄したところ、均一に洗浄が行え、数日のうちに残渣している洗剤を除去することができた。
自動床洗浄機で９１ｋｇというかなり高いパッド圧で押さえ、洗浄を行ったところ、表面の汚れもしっかりと落とすことできた。
【産業上の利用可能性】
【０００８】これまで大型商業店舗等の日常的な清掃で、自動床洗浄機に使用されている従来の不織布表面に研磨剤粒子を熱硬化性合成樹脂によって固着させたフロアパッドは研磨剤や硬さ等の種類により数種類のものがあったが、このマイクロファイバーフロアパッドにより、それらの在庫が不要となることから、利用者は多いと思われる。
洗剤の使用量が減ることから、コストダウンが可能となり、ＩＳＯ１４００１による環境配慮を行う企業は使用するメリットが大きく、導入が見込まれる。
同時にＣＯ２や梱包材の削減もできることからＩＳＯ１４００１による環境配慮を行う企業は使用するメリットが大きく、導入が見込まれる。
【図面の簡単な説明】
【０００９】
【図１】マイクロファイバーのパッドの洗浄面の上面図
【図２】マイクロファイバーのパッドの洗浄面の側面図
【符号の説明】
【００１０】１  センターロックの穴
２  洗浄面
３  縫製部分
４  ループ状のマイクロファイバー
【図１】
0003147252.tif 000003
【図２】
0003147252.tif 000004
【手続補正書】
【提出日】平成20年9月22日(2008.9.22)
【手続補正１】
【補正対象書類名】実用新案登録請求の範囲
【補正対象項目名】全文
【補正方法】変更
【補正の内容】
【実用新案登録請求の範囲】
【請求項１】
親油性に優れたポリエステルと親水性に優れたナイロンとを交互にループ状に編みこんだ洗浄面部と自動床洗浄機への取付面部とを縫製により一体になした自動床洗浄機用パッドであって、前記縫製部分が前記自動床洗浄機用パッドの外周部より内側に設けられていることを特徴とする自動床洗浄機用パッド。